(57)【要約】【課題】警告が必要な人物に適切に警告を行うことができるようにする。【解決手段】電子機器は、動画撮影中に、撮影画像に人物が含まれていることが認識されたとき、動画撮影中であることを知らせる警告音を出力する制御を行う制御部を備える。本技術は、例えば、ビデオカメラやデジタルスチルカメラなどの撮像装置、スマートフォン、タブレット端末、ウェアラブル端末などの携帯型端末装置など、動画撮影機能を備える電子機器に適用できる。【選択図】図１
2017034368.tif 000002
【特許請求の範囲】
【請求項１】
動画撮影中に、撮影画像に人物が含まれていることが認識されたとき、動画撮影中であることを知らせる警告音を出力する制御を行う制御部
を備える電子機器。
【請求項２】
前記制御部は、前記警告音が不要な人物のリストを記憶し、
前記リストにない人物が前記撮影画像に含まれていることが認識されたとき、前記警告音を出力する制御を行う
請求項１に記載の電子機器。
【請求項３】
前記リストには、動画撮影前に、登録された人物が含まれる
請求項２に記載の電子機器。
【請求項４】
前記リストには、動画撮影中に、動画撮影に気づいた撮影画像内の人物が含まれる
請求項２に記載の電子機器。
【請求項５】
前記制御部は、前記撮影画像に含まれる人物までの距離を測定し、測定された距離に応じた音量で、前記警告音を出力する制御を行う
請求項１に記載の電子機器。
【請求項６】
前記制御部は、取得された周囲音から前記警告音の特徴を検出し、検出結果に基づいて、前記警告音を出力する制御を行う
請求項１に記載の電子機器。
【請求項７】
前記制御部は、取得された前記警告音の音量レベルを検出し、検出結果に基づいて、録画を中止させる制御を行う
請求項６に記載の電子機器。
【請求項８】
前記制御部は、取得された前記周囲音の音量レベルを検出し、検出結果に基づいて、録画を中止させる制御を行う
請求項６に記載の電子機器。
【請求項９】
撮影画像内の警告対象人物の方向に前記警告音を出力する、指向性を有する音声出力部をさらに備える
請求項１に記載の電子機器。
【請求項１０】
電子機器を制御する制御部が、
動画撮影中に、撮影画像に人物が含まれていることが認識されたとき、動画撮影中であることを知らせる警告音を出力する制御を行う
ステップを含む制御方法。
【請求項１１】
コンピュータを、
動画撮影中に、撮影画像に人物が含まれていることが認識されたとき、動画撮影中であることを知らせる警告音を出力する制御を行う制御部
として機能させるためのプログラム。
【発明の詳細な説明】
【技術分野】
【０００１】
本技術は、電子機器、制御方法、およびプログラムに関し、特に、警告が必要な人物に適切に警告を行うことができるようにする電子機器、制御方法、およびプログラムに関する。
【背景技術】
【０００２】
近年、ウェアラブル端末の普及とともに、被写体となっている人物に気づかれずに動画が撮影されることが懸念されている。
【０００３】
例えば、撮影装置では、動画撮影中にLEDを光らせるなどして周囲に知らせているが、ウェアラブル端末では、撮影者がカメラを構えたりする必要がないため、撮影されているかどうかが分かりにくい。
【０００４】
このような問題に対し、例えば、警告音を発生させて被写体の人物に警告する電子機器が提案されている（例えば、特許文献１参照）。また、画像の合焦位置によって被写体までの距離を測定し、測定した距離に応じて警告音の音量を変化させて出力する装置も提案されている（例えば、特許文献２参照）。
【先行技術文献】
【特許文献】
【０００５】
【特許文献１】特開２０１０−９３３６９号公報
【特許文献２】特開２００５−３０３７１９号公報
【発明の概要】
【発明が解決しようとする課題】
【０００６】
しかしながら、仮に、被撮影者のなかに、警告が不要な人たちがいる場合、その人たちにとっては、発せられる警告音は不快な音となる。
【０００７】
本技術は、このような状況に鑑みてなされたものであり、警告が必要な人物に適切に警告を行うことができるようにするものである。
【課題を解決するための手段】
【０００８】
本技術の一側面の電子機器は、動画撮影中に、撮影画像に人物が含まれていることが認識されたとき、動画撮影中であることを知らせる警告音を出力する制御を行う制御部を備える。
【０００９】
本技術の一側面の制御方法は、電子機器を制御する制御部が、動画撮影中に、撮影画像に人物が含まれていることが認識されたとき、動画撮影中であることを知らせる警告音を出力する制御を行うステップを含む。
【００１０】
本技術の一側面のプログラムは、コンピュータを、動画撮影中に、撮影画像に人物が含まれていることが認識されたとき、動画撮影中であることを知らせる警告音を出力する制御を行う制御部として機能させるためのものである。
【００１１】
本技術の一側面においては、動画撮影中に、撮影画像に人物が含まれていることが認識されたとき、動画撮影中であることを知らせる警告音を出力する制御が行われる。
【００１２】
なお、プログラムは、伝送媒体を介して伝送することにより、又は、記録媒体に記録して、提供することができる。
【００１３】
電子機器は、独立した装置であっても良いし、１つの装置を構成している内部ブロックであっても良い。
【発明の効果】
【００１４】
本技術の一側面によれば、警告が必要な人物に適切に警告を行うことができるようにする。
【００１５】
なお、ここに記載された効果は必ずしも限定されるものではなく、本開示中に記載されたいずれかの効果であってもよい。
【図面の簡単な説明】
【００１６】
【図１】本技術を適用した撮像装置としてのビデオカメラの構成例を示すブロック図である。
【図２】ビデオカメラの撮影警告機能に関するブロック図である。
【図３】警告音出力制御処理を説明するフローチャートである。
【図４】警告音の音量レベルの検出を説明する図である。
【図５】本技術を適用したコンピュータの一実施の形態の構成例を示すブロック図である。
【発明を実施するための形態】
【００１７】
＜ビデオカメラの構成例＞
図１は、本技術を適用した撮像装置としてのビデオカメラの構成例を示すブロック図である。
【００１８】
図１のビデオカメラ１は、光学部１１、ステレオカメラ１２、制御部１３、表示部１４、操作部１５、音声入力部１６、音声出力部１７、メモリ部１８、記録部１９、及び電源部２０を有する。ステレオカメラ１２、制御部１３、表示部１４、操作部１５、音声入力部１６、音声出力部１７、メモリ部１８、記録部１９、及び電源部２０のそれぞれは、バスライン２１を介して相互に接続されている。
【００１９】
光学部１１は、ズーム機能などを備えた複数枚のレンズ群により構成されており、被写体からの光を集光して、ステレオカメラ１２が有する撮像素子の撮像面に、被写体の像を結像する。
【００２０】
ステレオカメラ１２は、例えば、CCD（Charge Coupled Device）や、CMOS(Complementary Metal Oxide Semiconductor)センサなどの撮像素子を複数個備え、複数の撮像素子を用いて被写体を異なる方向から同時に撮影する。
【００２１】
制御部１３は、操作部１５から供給された操作信号に基づいて、動画または静止画の撮像及び記録（録画）、録画画像の表示等を実行するため、ビデオカメラ１の全体を制御する。また、制御部１３は、ステレオカメラ１２により得られた画像の画像信号処理や、音声入力部１６から入力された音声や音声出力部１７へ供給する音声の音声信号処理も行う。例えば、制御部１３は、画像信号処理として、撮像画像を記録部１９へ記録するため所定の符号化方式で符号化する画像符号化処理、表示部１４へ表示するため所定のフォーマットに変換する表示制御処理、撮像画像内の人物（の顔や人型）を認識する人物認識処理などを行う。また、制御部１３は、音声信号処理として、取得した音声を記録部１９へ記録するため所定の符号化方式で符号化する音声符号化処理、音声の特徴量を検出する特徴量検出処理なども行う。
【００２２】
表示部１４は、LCD（Liquid Crystal Display）や有機EL（Electro Luminescence）ディスプレイなどで構成され、ステレオカメラ１２で撮影された撮影画像や、その撮影画像に所定の重畳処理を施した重畳画像などを表示する。
【００２３】
操作部１５は、操作ボタンやタッチパネル等で構成され、撮像動作や、各種の設定操作を行うユーザの操作を受け付け、その操作信号を制御部１３へ供給する。
【００２４】
音声入力部１６は、１チャンネル又は複数チャンネルのマイクロホンおよび音声増幅回路からなり、動画の撮影時、音声を取得し、アナログの音声信号を制御部１３に供給する。
【００２５】
音声出力部１７は、複数チャンネルの音声増幅回路およびスピーカからなり、動画の撮影時や再生時において、アナログの音声信号に基づく音を出力する。音声出力部１７が出力する音には、例えば、ブザー音のような警告音、メッセージを読み上げる読み上げ音声などが含まれ、音声出力部１７は、特定の方向のみに音を出力することができる。音声出力部１７が特定の方向のみに音を出力する方法としては、例えば、複数個の指向性スピーカを、出力方向が異なるように配列する方法や、複数のスピーカをアレイ状に配列させ、各スピーカの出力（位相）を調整することで、所望の指向性を持たせる方法などを採用することができる。
【００２６】
メモリ部１８は、例えば、ROM（Read Only Memory）やRAM（Random Access Memory）で構成される。ROMには、NAND型フラッシュメモリ或いはEEPROM（Electrically Erasable Programmable Read-Only Memory）のような書き換え可能なROMも含まれる。メモリ部１８には、制御部１３が各種のデータ処理を行う際の作業領域、バッファ領域として所定のデータが格納される。
【００２７】
記録部１９は、撮影された動画または静止画を、ハードディスクや半導体メモリ等の記録媒体に記録する。記録部１９には、着脱可能な記録媒体を備えていても良い。なお、動画を撮影した際に記録部１９に記録される信号には、撮影画像と同時に取得された音声信号も含まれる。
【００２８】
電源部２０は、２次電池等で構成され、動作電源となる各種の電源を、装置内の各部に適宜供給する。
【００２９】
以上のように構成されるビデオカメラ１では、動画を撮影中に、その撮影画像に被写体として映っている人に対して、撮影中であることを警告音により知らせる撮影警告機能を備えている。
【００３０】
以下、ビデオカメラ１が備える撮影警告機能について説明する。
【００３１】
＜機能ブロック図＞
図２は、ビデオカメラ１の撮影警告機能に関するブロック図である。
【００３２】
ビデオカメラ１は、画像取得部３１、被写体検出部３２、ホワイトリスト記憶部３３、人物照合部３４、距離方角算出部３５、音声取得部３６、警告音検出部３７、警告音出力制御部３８、及び録画制御部３９を備える。図２に示される各部は、図１の制御部１３と、制御部１３が所定の制御処理を実行する際の作業領域として利用されるメモリ部１８で実行される機能に対応する。
【００３３】
画像取得部３１は、ステレオカメラ１２により同時に撮影された複数の撮影画像を取得し、被写体検出部３２と距離方角算出部３５に供給する。
【００３４】
被写体検出部３２は、画像取得部３１から供給された撮影画像に被写体として映っている人物を検出する人物認識処理を実行する。被写体検出部３２は、例えば、人物の顔を検出したり、人型（シルエット）を検出することにより、撮影画像内の人物を検出する。そして、検出された人物の顔領域の画像（顔画像）が被写体検出部３２から人物照合部３４に供給される。
【００３５】
また、被写体検出部３２は、撮影画像内の顔の視線方向を検出するなどして、警告音を発してから所定時間内に、撮影画像内の人物がビデオカメラ１に顔を向けたり、視線がビデオカメラ１に向いている人物の顔画像を、撮影に気づいている人物であるとして検出し、ホワイトリスト記憶部３３に記憶させる。
【００３６】
ホワイトリスト記憶部３３には、登録モードにおいて、予めホワイトリストとして登録された人物の顔画像が記憶されている。ホワイトリストは、警告音が不要な人物のリストである。登録モードでホワイトリストとして予め記憶される顔画像は、ビデオカメラ１のステレオカメラ１２で撮影された画像でもよいし、その他の撮像装置で撮影された顔画像の画像データを不図示の通信I/Fを介してホワイトリスト記憶部３３に記憶させたものでも良い。
【００３７】
また、ホワイトリスト記憶部３３には、撮影に気づいている人物であると判定された撮影画像内の被写体の顔画像が、被写体検出部３２から供給され、ホワイトリストとして記憶される。
【００３８】
人物照合部３４は、被写体検出部３２から供給された顔画像の人物と、ホワイトリスト記憶部３３のホワイトリストに登録されている人物とを照合する。換言すれば、人物照合部３４は、被写体検出部３２から供給された顔画像の人物が、ホワイトリストに登録されている人物であるか否かを判定する。人物照合部３４は、ホワイトリストに登録されていない人物が検出された場合、その人物を警告対象人物として、警告対象人物を特定するための人物特定情報を距離方角算出部３５に供給する。人物特定情報は、例えば、警告対象人物の顔画像そのものや、撮影画像内の警告対象人物の顔画像の位置を示す位置情報などである。
【００３９】
距離方角算出部３５は、画像取得部３１から供給される撮影画像と、人物照合部３４から供給される人物特定情報とに基づいて、警告対象人物までの距離と方角を算出する。より具体的には、距離方角算出部３５は、画像取得部３１から供給される、ステレオカメラ１２で同時に撮影された２枚の画像から、三角測量の原理により、警告対象人物までの距離及び方角を算出する。算出された警告対象人物までの距離と方角は、警告音出力制御部３８へ供給される。
【００４０】
音声取得部３６は、音声入力部１６で収音された周囲音の音声を取得し、警告音検出部３７に供給する。
【００４１】
警告音検出部３７は、音声取得部３６から供給された周囲音の音声の中に含まれる警告音を検出する。警告音は、警告音出力制御部３８によって制御され、音声出力部１７から出力される音であるので、警告音が出力されるタイミングや、その特徴は既知である。具体的には、警告音として、例えば、高音域の所定周波数の信号が特定のピッチ（出力間隔）で、特定回数、送出されることが分かっている。警告音検出部３７は、警告音の信号を高速フーリエ変換（FFT）した周波数解析結果と、音声取得部３６から供給された周囲音の音声信号を高速フーリエ変換した周波数解析結果とを比較することで、音声取得部３６から供給された周囲音の音声の中に含まれる警告音を検出する。また、警告音検出部３７は、検出された警告音に相当する信号の振幅を計測することで、警告音の音量レベルも確認することができる。
【００４２】
警告音検出部３７は、警告音が検出されなかった場合、録画を中止させる制御信号（録画中止信号）を、録画制御部３９に供給する。一方、警告音が検出されたが、検出された音量が所定の閾値よりも低かった場合、警告音検出部３７は、警告音の音量を適切値に調節する制御信号（音量調節信号）を、警告音出力制御部３８に供給する。
【００４３】
警告音出力制御部３８は、距離方角算出部３５から、警告音の距離と方角が供給された場合、その距離と方角に警告音が発せられるように音声出力部１７を制御する。換言すれば、警告音出力制御部３８は、警告対象人物の方向に、警告対象人物まで届く音量で、警告音が発せられるように音声出力部１７を制御する。
【００４４】
また、警告音出力制御部３８は、警告音検出部３７から、警告音の音量を適切値に調節する音量調節信号が供給された場合、その音量調節信号に基づいて警告音の音量を設定し、音声出力部１７を制御する。
【００４５】
録画制御部３９は、警告音検出部３７から録画中止信号が供給された場合、録画を中止する。
【００４６】
＜フローチャート＞
次に、図３のフローチャートを参照して、ビデオカメラ１による警告音出力制御処理について説明する。この処理は、例えば、録画の実行とともに開始される。
【００４７】
初めに、ステップＳ１において、画像取得部３１は、ステレオカメラ１２により撮影された撮影画像を取得し、被写体検出部３２と距離方角算出部３５に供給する。
【００４８】
ステップＳ２において、被写体検出部３２は、画像取得部３１から供給された撮影画像に被写体として映っている人物を検出する人物認識処理を実行し、ステップＳ３において、撮影画像に人物が検出されたかを判定する。
【００４９】
ステップＳ３で、撮影画像に人物が検出されていないと判定された場合、処理はステップＳ１に戻り、それ以降の処理が実行される。この場合、録画がそのまま実行される。
【００５０】
一方、ステップＳ３で、撮影画像に人物が検出されたと判定された場合、処理はステップＳ４に進み、被写体検出部３２は、検出された人物の顔画像を人物照合部３４に供給する。そして、人物照合部３４は、被写体検出部３２から供給された顔画像の人物と、ホワイトリスト記憶部３３のホワイトリストに登録されている人物とを照合する。
【００５１】
ステップＳ５において、人物照合部３４は、撮影画像で検出された人物（の顔画像）が、ホワイトリストに登録されている人物（の顔画像）のいずれかと一致するかを、人物認識処理で検出された人物それぞれについて判定する。
【００５２】
ステップＳ５で、撮影画像で検出された全ての人物がホワイトリストに登録されている人物と一致すると判定された場合、処理はステップＳ１に戻り、それ以降の処理が実行される。この場合、録画がそのまま実行される。
【００５３】
一方、ステップＳ５で、撮影画像で検出された人物の少なくとも一人がホワイトリストに登録されている人物と一致しないと判定された場合、処理はステップＳ６に進み、人物照合部３４は、ホワイトリストに登録されていない人物を警告対象人物に決定し、警告対象人物の人物特定情報を、距離方角算出部３５に供給する。
【００５４】
ステップＳ７において、距離方角算出部３５は、画像取得部３１から供給される撮影画像と、人物照合部３４から供給される人物特定情報とに基づいて、警告対象人物までの距離と方角を算出し、警告音出力制御部３８へ供給する。
【００５５】
ステップＳ８において、警告音出力制御部３８は、距離方角算出部３５から供給された距離に対応した音量と、方角とを設定し、音声出力部１７を制御する。ステップＳ９において、音声出力部１７は、警告音出力制御部３８により設定された方角と音量に基づいて、警告音を出力する。
【００５６】
ステップＳ１０において、音声取得部３６は、音声入力部１６で収音された周囲音の音声を取得し、警告音検出部３７に供給する。
【００５７】
ステップＳ１１において、警告音検出部３７は、音声取得部３６から供給された周囲音の音声の中に警告音が検出されたか、より具体的には、警告音出力後の所定期間の音声信号に警告音の特徴点を有する音声信号が含まれているかを判定する。
【００５８】
ステップＳ１１で、収音された周囲音の音声の中に警告音が検出されたと判定された場合、処理はステップＳ１２に進み、警告音検出部３７は、検出された警告音の音量レベルを判定する。
【００５９】
ステップＳ１１では、警告音検出部３７は、図４に示されるように、音声出力部１７が出力した警告音の音量に基づいて、それを収音したときに検出されるであろう音量レベルの期待値を１００％として、検出された警告音の音量レベルが、第１の閾値ＶＭ１未満の小レベルであるか、第１の閾値ＶＭ１以上第２の閾値ＶＭ２未満の中レベルであるか、または、第２の閾値ＶＭ２以上の大レベルであるかを判定する。
【００６０】
ステップＳ１２で、検出された警告音の音量レベルが大レベルであると判定された場合、処理はステップＳ１に戻り、それ以降の処理が実行される。即ち、警告音の音量レベルが大レベルである場合には、撮影中であることを知らせる警告音が警告対象人物に確実に届いていることが想定されるので、録画がそのまま実行される。
【００６１】
一方、ステップＳ１２で、検出された警告音の音量レベルが小レベルであると判定された場合、処理はステップＳ１３に進み、警告音検出部３７は、録画を中止させる録画中止信号を録画制御部３９に供給する。録画制御部３９は、警告音検出部３７からの録画中止信号に基づいて、録画を中止する。
【００６２】
即ち、警告音の音量レベルが小レベルである場合には、撮影中であることを知らせる警告音が警告対象人物に届いていないことが想定されるので、録画が中止される。録画が中止されるので、警告音出力制御処理も終了する。
【００６３】
一方、ステップＳ１２で、検出された警告音の音量レベルが中レベルであると判定された場合、処理はステップＳ１４に進み、警告音検出部３７は、警告音の音量を適切値に調節する音量調節信号を警告音出力制御部３８に供給する。ステップＳ１４の後、処理はステップＳ９に戻され、再調整された音量と方角で、警告音が出力される。
【００６４】
即ち、警告音の音量レベルが中レベルである場合には、音量が適切でないことにより、警告音が警告対象人物に届いていないことが想定されるので、音量が再調整され、再度、警告音が発せられる。
【００６５】
一方、ステップＳ１１で、収音された周囲音の音声の中に警告音が検出されなかったと判定された場合、処理はステップＳ１５に進み、警告音検出部３７は、収音された周囲音の音量レベルが大レベル以上であるかを判定する。
【００６６】
ステップＳ１５で、周囲音の音量レベルが大レベル以上であると判定された場合、処理はステップＳ１４に進められる。その結果、ステップＳ１４において、警告音の音量を適切値に調節する音量調節信号が警告音出力制御部３８に供給され、ステップＳ９において、再調整された音量と方角で、警告音が、再度、出力される。
【００６７】
ステップＳ１５で、周囲音の音量レベルが大レベル以上であると判定された場合には、警告音が検出されない状況でも、周囲音は検出されているので、周囲音の音量が大きいため、警告音を検出できなかったと想定される。そこで、処理はステップS１４に進み、警告音の音量が再調整されて、警告音が、再度、出力される。
【００６８】
一方、ステップＳ１５で、周囲音の音量レベルが大レベル未満であると判定された場合は、処理はステップＳ１３に進められる。その結果、ステップＳ１３において、録画を中止させる録画中止信号が、録画制御部３９に供給され、録画が中止する。
【００６９】
ステップＳ１５で、周囲音の音量レベルが大レベル未満であると判定された場合は、スピーカまたはマイクロホンが塞がれるなどにより、正しい警告音の送出が確認できない状況であると判断されるので、録画が中止される。
【００７０】
以上のように警告音出力制御処理が実行される。なお、ステップＳ１５における比較の基準値としてステップＳ１２における大レベルを採用したが、ステップＳ１５の比較基準値にはステップＳ１２と異なる値を採用しても良い。
【００７１】
以上の警告音出力制御処理によれば、ビデオカメラ１の制御部１３は、動画撮影中に、撮影画像に人物が含まれていることが認識されたとき、動画撮影中であることを知らせる警告音を出力する制御を行う。また、ビデオカメラ１の制御部１３は、撮影画像内で認識された人物がホワイトリストに登録されている人物であるか否かを判定し、ホワイトリストに登録されていない人物が検出された場合に、動画撮影中であることを知らせる警告音を出力する制御を行う。これにより、撮影者の周辺で、警告が必要な人物に適切に警告を行うことができ、かつ、不要（不快な）な警告音を抑制することができ、撮影時の不快度を低減させることができる。
【００７２】
ビデオカメラ１では、警告対象人物までの距離が離れていたり、撮影画像のフォーカスが多少はずれている場合であっても、撮影画像から人物と認識できれば、警告音を発生させることができる。
【００７３】
なお、上述した例では、本技術をビデオカメラに適用した例について説明したが、本技術は、デジタルスチルカメラや、スマートフォン、タブレット端末、ウェアラブル端末などの携帯型端末装置など、動画撮影機能を備える電子機器全般に適用可能である。
【００７４】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００７５】
図５は、上述した一連の処理をプログラムにより実行するコンピュータのハードウエアの構成例を示すブロック図である。
【００７６】
コンピュータにおいて、CPU（Central Processing Unit）１０１，ROM（Read Only Memory）１０２，RAM（Random Access Memory）１０３は、バス１０４により相互に接続されている。
【００７７】
バス１０４には、さらに、入出力インタフェース１０５が接続されている。入出力インタフェース１０５には、入力部１０６、出力部１０７、記憶部１０８、通信部１０９、撮影部１１０、及びドライブ１１１が接続されている。
【００７８】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。
【００７９】
撮影部１１０は、CCD(Charge Coupled Device)やCMOS（Complementary Mental Oxide Semiconductor）センサ等の撮像素子を複数個備える。撮影部１１０を構成する複数の撮像素子それぞれは、被写体を撮像し、撮像した被写体の画像データを、入出力インタフェース１０５を介してCPU１０１等に供給する。
【００８０】
ドライブ１１１は、磁気ディスク、光ディスク、光磁気ディスク、或いは半導体メモリなどのリムーバブル記録媒体１１２を駆動する。
【００８１】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００８２】
コンピュータでは、プログラムは、リムーバブル記録媒体１１２をドライブ１１１に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【００８３】
なお、本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【００８４】
本技術の実施の形態は、上述した実施の形態に限定されるものではなく、本技術の要旨を逸脱しない範囲において種々の変更が可能である。
【００８５】
例えば、上述した複数の実施の形態の全てまたは一部を組み合わせた形態を採用することができる。
【００８６】
例えば、本技術は、１つの機能をネットワークを介して複数の装置で分担、共同して処理するクラウドコンピューティングの構成をとることができる。
【００８７】
また、上述のフローチャートで説明した各ステップは、１つの装置で実行する他、複数の装置で分担して実行することができる。
【００８８】
さらに、１つのステップに複数の処理が含まれる場合には、その１つのステップに含まれる複数の処理は、１つの装置で実行する他、複数の装置で分担して実行することができる。
【００８９】
なお、本明細書に記載された効果はあくまで例示であって限定されるものではなく、本明細書に記載されたもの以外の効果があってもよい。
【００９０】
なお、本技術は以下のような構成も取ることができる。
（１）
動画撮影中に、撮影画像に人物が含まれていることが認識されたとき、動画撮影中であることを知らせる警告音を出力する制御を行う制御部
を備える電子機器。
（２）
前記制御部は、前記警告音が不要な人物のリストを記憶し、
前記リストにない人物が前記撮影画像に含まれていることが認識されたとき、前記警告音を出力する制御を行う
前記（１）に記載の電子機器。
（３）
前記リストには、動画撮影前に、登録された人物が含まれる
前記（２）に記載の電子機器。
（４）
前記リストには、動画撮影中に、動画撮影に気づいた撮影画像内の人物が含まれる
前記（２）または（３）に記載の電子機器。
（５）
前記制御部は、前記撮影画像に含まれる人物までの距離を測定し、測定された距離に応じた音量で、前記警告音を出力する制御を行う
前記（１）乃至（４）のいずれかに記載の電子機器。
（６）
前記制御部は、取得された周囲音から前記警告音の特徴を検出し、検出結果に基づいて、前記警告音を出力する制御を行う
前記（１）乃至（５）のいずれかに記載の電子機器。
（７）
前記制御部は、取得された前記警告音の音量レベルを検出し、検出結果に基づいて、録画を中止させる制御を行う
前記（６）に記載の電子機器。
（８）
前記制御部は、取得された前記周囲音の音量レベルを検出し、検出結果に基づいて、録画を中止させる制御を行う
前記（６）に記載の電子機器。
（９）
撮影画像内の警告対象人物の方向に前記警告音を出力する、指向性を有する音声出力部をさらに備える
前記（１）乃至（８）のいずれかに記載の電子機器。
（１０）
電子機器を制御する制御部が、
動画撮影中に、撮影画像に人物が含まれていることが認識されたとき、動画撮影中であることを知らせる警告音を出力する制御を行う
ステップを含む制御方法。
（１１）
コンピュータを、
動画撮影中に、撮影画像に人物が含まれていることが認識されたとき、動画撮影中であることを知らせる警告音を出力する制御を行う制御部
として機能させるためのプログラム。
【符号の説明】
【００９１】
１  ビデオカメラ，  １３  制御部，  １６  音声入力部，  １７  音声出力部，  １８  メモリ部，  １９  記録部，  ３１  画像取得部，  ３２  被写体検出部，  ３３  ホワイトリスト記憶部，  ３４  人物照合部，  ３５  距離方角算出部，  ３６  音声取得部，  ３７  警告音検出部，  ３８  警告音出力制御部，  ３９  録画制御部，  １０１  CPU，  １０２  ROM，  １０３  RAM，  １０６  入力部，  １０７  出力部，  １０８  記憶部，  １０９  通信部，  １１０  撮影部，  １１１  ドライブ
【図１】
2017034368.tif 000003
【図２】
2017034368.tif 000004
【図３】
2017034368.tif 000005
【図４】
2017034368.tif 000006
【図５】
2017034368.tif 000007